(57)【要約】【課題】この発明は、更なる一層の低背化を促進するようにした同軸ケーブル用コネクタを提供することを目的とする。【解決手段】同軸ケーブル４を接続した同軸ケーブル用リセプタクルコネクタ１１を同軸ケーブルの中心導体及び外部導体に対応する印刷配線パターン２２，２３が形成された印刷配線基板２０に直接嵌着させるようにした。【選択図】図９
2006216445.tif 000002
【特許請求の範囲】
【請求項１】
同軸ケーブルの中心導体及び外部導体に対応する印刷配線パターンが形成された印刷配線基板に、同軸ケーブルを接続した同軸ケーブル用リセプタクルコネクタを直接嵌着し、
前記同軸ケーブルの中心導体及び外部導体と、前記印刷配線基板に形成された前記同軸ケーブルの中心導体及び外部導体に対応する印刷配線パターンとを前記同軸ケーブル用リセプタクルコネクタを介し電気的に接続するようにしたことを特徴とする同軸ケーブル用コネクタ。
【請求項２】
前記同軸ケーブルは、前記印刷配線基板に対する前記同軸ケーブル用リセプタクルコネクタの嵌着方向と同一方向から取り付けられていることを特徴とする請求項１に記載の同軸ケーブル用コネクタ。
【請求項３】
前記同軸ケーブル用リセプタクルコネクタは、金属製の外部シェルと、該外部シェルにより覆われた不導体のハウジングからなり、該ハウジングの先端には前記印刷配線基板を嵌挿する開口部が形成され、該開口部内には前記同軸ケーブルの中心導体と接続した中心導体用のコンタクトと、前記同軸ケーブルの外部導体と接続した外部導体用のコンタクトとが配設され、また前記印刷配線基板には、前記同軸ケーブルの中心導体及び外部導体に対応する印刷配線パターンが形成されたプラグ部が突出形成され、該印刷配線基板のプラグ部と前記同軸ケーブル用リセプタクルコネクタの開口部とを嵌着させると、前記中心導体用のコンタクト及び外部導体用のコンタクトとがそれぞれ対応する前記プラグ部の印刷配線パターンに圧接して電気的に接続されることを特徴とする請求項１に記載の同軸ケーブル用コネクタ。
【発明の詳細な説明】
【技術分野】
【０００１】
本発明は、携帯電話、パソコン、ＰＤＡ（Personal Digital Assistant）等の情報機器、家電製品等の小型電子機器に使用される同軸ケーブル用コネクタに関する。
【背景技術】
【０００２】
一般に、携帯電話、パソコン、ＰＤＡ等の情報機器、家電製品等の小型電子機器の内部には同軸ケーブルを使用したものがある。
【０００３】
そして、従来から、この同軸ケーブルの中継装置として、同軸ケーブルの中心及び外部導体と印刷配線基板の対応する各印刷配線パターン等とを電気的に接続させる装置として同軸ケーブル用コネクタが提案されている。
【０００４】
特に使用される各種機器の小型及び薄型化に応じて、同軸ケーブル用コネクタの小型化と低背化を図るため、コネクタの接続方向に対して直角方向から同軸ケーブルを取り付けるようにしたいわゆるＬ型同軸ケーブル用コネクタが従来から提供されている。
【０００５】
図１２は、従来からあるＬ型同軸ケーブル用コネクタ１を示す概念側面図である。
【０００６】
このＬ型同軸ケーブル用コネクタ１は、印刷配線基板２上に配設された円筒形の外部シェルを有する同軸用プラグコネクタ３と、予め同軸ケーブル４が接続されたＬ型同軸ケーブル用リセプタクルコネクタ５とから構成されている。
【０００７】
そして、この同軸用プラグコネクタ３とＬ型同軸ケーブル用リセプタクルコネクタ５とを接続するには、図１２の矢印のように、上方からＬ型同軸ケーブル用リセプタクルコネクタ５を同軸用プラグコネクタ３に嵌着させるようにする。
【０００８】
このように、同軸用プラグコネクタ３とＬ型同軸ケーブル用リセプタクルコネクタ５とを嵌着させると、図１３で示すように、同軸ケーブル４の中心導体と印刷配線基板２に形成された対応する印刷配線パターンとが電気的に接続し、また同軸ケーブル４の外部導体と印刷配線基板２に形成された対応する印刷配線パターンとが電気的に接続されることとなる。
【特許文献１】特願２００３−４３０１００号
【発明の開示】
【発明が解決しようとする課題】
【０００９】
ところで、上述した同軸ケーブル用コネクタでは、使用される各種機器のさらなる小型及び薄型化に応じて、さらに一層の低背化及び薄型化が求められているが、上述した従来のＬ型同軸ケーブル用コネクタ１は、印刷配線基板２に円筒形の外部シェルを有する同軸用プラグコネクタ３を配設することが必須要件な、いわゆる２ピース型同軸ケーブル用コネクタであり、このため薄型化促進のためコネクタの接続方向に対して直角方向から同軸ケーブル４を取り付けるようにした上述のＬ型同軸ケーブル用リセプタクルコネクタ５を使用しても、図１２に示すように印刷配線基板２上に配設された同軸用プラグコネクタ３の飛び出しに加え、ささらにＬ型同軸ケーブル用リセプタクルコネクタ４の高さを含めた高さＨ（図１３）が必要で、このため同軸ケーブル用コネクタの一層の低背化及び薄型化が図れない難点があった。
【００１０】
なお、フィルムアンテナ等の予め高さ制限のあるものは上述した従来の同軸ケーブル用コネクタを使用して同軸ケーブルと接続することが出来ず、このため同軸ケーブルを印刷配線基板に形成された対応する各印刷配線パターンに直接半田付けするようにしており、その取り付け工程が煩雑となっている。
【００１１】
この発明は、上述した事情に鑑み、更なる一層の低背化を促進するようにした同軸ケーブル用コネクタを提供することを目的とする。
【課題を解決するための手段】
【００１２】
上述した課題を解決するため、この発明の同軸ケーブル用コネクタでは、同軸ケーブルの中心導体及び外部導体に対応する印刷配線パターンが形成された印刷配線基板に、同軸ケーブルを接続した同軸ケーブル用リセプタクルコネクタを直接嵌着し、前記同軸ケーブルの中心導体及び外部導体と、前記印刷配線基板に形成された前記同軸ケーブルの中心導体及び外部導体に対応する印刷配線パターンとを前記同軸ケーブル用リセプタクルコネクタを介し電気的に接続するようにしている。
【発明の効果】
【００１３】
この発明の同軸ケーブル用コネクタによると、同軸ケーブルを接続した同軸ケーブル用リセプタクルコネクタを同軸ケーブルの中心導体及び外部導体に対応する印刷配線パターンが形成された印刷配線基板に直接嵌着させ、これにより同軸ケーブルの中心導体及び外部導体と印刷配線基板に形成された同軸ケーブルの中心導体及び外部導体各導体に対応する印刷配線パターンとを電気的に接続させるようにしたため、従来のような独立部品である同軸ケーブル用プラグコネクタが不要で、このため同軸ケーブル用プラグコネクタを使用する場合に必要な印刷配線基板上の飛び出しがなく、低背化及び薄型化を一層促進することが出来るとともに、同軸ケーブル用プラグコネクタが不要となった分、部品点数も少なく、安価に製造することが出来る。
【００１４】
またフィルムアンテナ等の予め高さ制限のあるものと同軸ケーブルとの接続を図る同軸ケーブル用コネクタとしても使用することが出来、この場合は半田付け作業が不要となって、半田フリーで簡単に接続が可能となる。
【発明を実施するための最良の形態】
【００１５】
以下、この発明に係る同軸ケーブル用コネクタの一実施例を詳述する。
【００１６】
図１はこの発明に係る同軸ケーブル用コネクタ１０の主要構成要素である同軸ケーブル用リセプタクルコネクタ１１（以下単にリセプタクルコネクタと言う）を示す平面図、図２はその側面図、図３はその平面図である。
【００１７】
このリセプタクルコネクタ１１は、同軸ケーブル４の外部導体と電気的に接続する金属製の外部シェル１２と、図１のＡＡ断面図で示す図５のように、前記外部シェル１２により覆われたプラスチック等の不導体により形成されたハウジング１３とにより構成されており、このハウジング１３の幅方向中心部であって、取付け孔となる開口部１４に隣接する位置には先端が略くの字形状に折れ曲がった一本の中心導体用のコンタクト１５が配設され、この後端には同軸ケーブル４の中心導体４ａと圧接して接続する中心導体用の接続端子１５ａが連設して形成されている。
【００１８】
一方、図１に示すように、外部シェル１２の幅方向には、一対の外部導体用のコンタクト部１６が形成されている。
【００１９】
この外部導体用のコンタクト部１６は、図１のＢＢ断面で示す図６のように、前記外部シェル１２と一体に形成され、さらに先端が略くの字形状に折れ曲がり互いに対向するように形成された一対の外部導体用のコンタクト１７により形成されている。
【００２０】
一方、この発明に係る同軸ケーブル用コネクタ１０では、同軸ケーブル用プラグコネクタとして機能するものは図４に記載された印刷配線基板２０が対応している。
【００２１】
この印刷配線基板２０には、先端に前記リセプタクルコネクタ１１のハウジング１３に形成された取付け孔となる開口部１４の幅と対応する幅を有する凸部からなるプラグ部２１が形成されている。なお、このプラグ部２１の先端２１ａは、前記開口部１４内への嵌挿を容易にするため断面が略くの字形に形成されている。
【００２２】
このプラグ部２１上であって、前記中心導体用のコンタクト１５（図５）と対向する位置には一本の中心導体用の印刷配線パターン２２が形成されている。また、この印刷配線パターン２２の両側であって、前記一対の外部導体用のコンタクト１７（図６）と対向する位置には一対の外部導体用の印刷配線パターン２３がそれぞれ形成されている。
【００２３】
次に、上述したリセプタクルコネクタ１１に対する同軸ケーブル４の取り付け工程を説明する。
【００２４】
図７の断面図で示すように、リセプタクルコネクタ１１のハウジング１３に形成された押さえ片１３ａの下面には予め中心導体用の接続端子１５ａが配置されている。そして、この中心導体用の接続端子１５ａの下面に同軸ケーブル４の中心導体４ａを配置する。
【００２５】
なお、このように中心導体用の接続端子１５ａの下面に同軸ケーブル４の中心導体４ａを配置すると、外部シェル１２に形成された３つの押さえ舌片１２ａ，１２ｂ，１２ｃのうち押さえ舌片１２ｂが同軸ケーブル４の外部導体４ｂ上に位置する。なお押さえ舌片１２ａはハウジング１３に形成された押さえ片１３ａ上に位置し、また押さえ舌片１２ｃは同軸ケーブル４の外皮４ｃに位置する。なお図７で符号４ｄは中心導体４ａを囲繞する不導体である。
【００２６】
その後、前述した外部シェル１２に形成された３つの押さえ舌片１２ａ，１２ｂ，１２ｃにより同軸ケーブル４をカシメて図５に示す同軸ケーブル４を接続したリセプタクルコネクタ１１を完成させる。
【００２７】
次に、上述した本願発明に係る同軸ケーブル用コネクタ１０の作用を説明する。
【００２８】
図８の矢印Ｃで示すように、印刷配線基板２０のプラグ部２１にリセプタクルコネクタ１１の取付け孔となる開口部１４（図５，６）を接近させ、図９で示すように印刷配線基板２０にリセプタクルコネクタ１１を嵌着させる。
【００２９】
すると、図９のＤＤ拡大断面で示す図１０のように、印刷配線基板２０の上面に形成された中心導体用の印刷配線パターン２２（図９）と中心導体用のコンタクト１５とが圧接し、これにより印刷配線基板２０の上面に形成された中心導体用の印刷配線パターン２２と軸ケーブル４の中心導体４ａとが電気的に接続されることとなる。同様に、図９のＥＥ断面で示す図１１のように、印刷配線基板２０の上面に形成された一対の外部導体用の印刷配線パターン２３（図９）にそれぞれ外部導体用のコンタクト１７が圧接し、これにより印刷配線基板２０の上面に形成された一対の外部導体用の印刷配線パターン２３と同軸ケーブル４の外部導体４ｂ（図１０）とが電気的に接続されることとなる。
【００３０】
上述した本願発明の同軸ケーブル用コネクタ１０によると、図１０に示すように、同軸ケーブル用コネクタ１０の厚みは、リセプタクルコネクタ１１の厚みＨ２と同一であり、従って、リセプタクルコネクタ１１の厚みＨ２を可及的に薄く形成すれば低背化及び薄型化を一層促進することが出来るとともに、独立部品としての同軸ケーブル用プラグコネクタが不要となった分、部品点数も少なく、安価に製造することが出来ることとなる。
【００３１】
また本願発明の同軸ケーブル用コネクタ１０によると、フィルムアンテナ等の予め高さ制限のあるものと同軸ケーブルとの接続を図る同軸ケーブル用コネクタとしても使用することが出来、この場合は半田付け作業が不要となって、半田フリーで簡単に接続が可能となる。
【産業上の利用可能性】
【００３２】
以上のように、本発明は、更なる一層の低背化を促進するとともに、部品点数を削減した同軸ケーブル用コネクタに適している。
【図面の簡単な説明】
【００３３】
【図１】図１はこの発明に係る同軸ケーブル用コネクタを構成する同軸ケーブル用リセプタクルコネクタの平面図。
【図２】図２は同軸ケーブル用リセプタクルコネクタの側面図。
【図３】図３は同軸ケーブル用リセプタクルコネクタの底面図。
【図４】図４は印刷配線基板の平面図。
【図５】図５は図１のＡＡ断面図。
【図６】図６は図１のＢＢ断面図。
【図７】図７は同軸ケーブル用リセプタクルコネクタに対する同軸ケーブルの取り付け手順を示す要部断面図。
【図８】図８はこの発明に係る同軸ケーブル用コネクタの接続手順を示す平面図。
【図９】図９はこの発明に係る同軸ケーブル用コネクタプラグコネクタの接続手順を示す平面図。
【図１０】図１０は図９のＤＤ断面図。
【図１１】図１１は図９のＥＥ断面図。
【図１２】図１２は従来の同軸ケーブル用コネクタを示す図。
【図１３】図１３は従来の同軸ケーブル用コネクタの接続状態を示す図。
【符号の説明】
【００３４】
４…同軸ケーブル
４ａ…中心導体
４ｂ…外部導体
１０…同軸ケーブル用コネクタ
１１…同軸ケーブル用リセプタクルコネクタ
１２…金属製の外部シェル
１３…不導体のハウジング
１４…開口部
１５…中心導体用のコンタクト
１７…外部導体用のコンタクト
２０…印刷配線基板
２１…プラグ部
２２，２３…印刷配線パターン
【図１】
2006216445.tif 000003
【図２】
2006216445.tif 000004
【図３】
2006216445.tif 000005
【図４】
2006216445.tif 000006
【図５】
2006216445.tif 000007
【図６】
2006216445.tif 000008
【図７】
2006216445.tif 000009
【図８】
2006216445.tif 000010
【図９】
2006216445.tif 000011
【図１０】
2006216445.tif 000012
【図１１】
2006216445.tif 000013
【図１２】
2006216445.tif 000014
【図１３】
2006216445.tif 000015